(57)【要約】      （修正有）【課題】複雑な回路構成を必要とせず、完全かつ確実に過電圧から負荷を保護する。【解決手段】交流電源２からの交流電圧Ｖinを整流・平滑する１次側整流平滑回路３００からの直流電圧の電力を、トランス５を経由して２次側整流平滑回路４００に伝達し、この２次側整流平滑回路から負荷１に電力供給するにあたり、負荷への出力電圧に過電圧が発生した場合、この過電圧は、巻数Ｎ502、Ｎ503に対応させて過電圧の発生を異なる電圧レベルで検出可能なスイッチングトランスを構成する１次補助巻線５０２及び２次補助巻線５０３にそれぞれ発生する。また、過電圧の発生により１次補助巻線の電圧レベルが上昇すると、制御ＩＣ３２０の電源端子Ｐ320cには、１次補助巻線の電圧レベルよりも低い電圧レベルで過電圧を検出可能な第２補助巻線からの動作電圧が電力供給され、トランジスタ３０１のスイッチング動作をラッチ制御して停止させることができる。【選択図】図１
2009213261.tif 000002
【特許請求の範囲】
【請求項１】
ダイオードブリッジ（ＤＢ）及びコンデンサ（Ｃ1）により交流電圧を直流電圧に変換するための１次側整流平滑回路（３００）と、
１次側の直流電圧の電力を２次側へ伝達するための１次巻線（５００）及び２次巻線（５０１）、前記変換を制御するための動作電圧を電力供給する１次補助巻線（５０２）及び当該１次補助巻線と同方向に巻回して形成した第２補助巻線（５０３）を有するスイッチングトランス（５）と、
前記スイッチングトランスを駆動させるためのトランジスタ（３０１）と、
前記変換を制御するために前記１次補助巻線又は前記２次補助巻線から動作電圧が電力供給され前記トランジスタのスイッチング動作の制御と電源端子（Ｐ320c）の電圧を検出して負荷（１）への過電圧保護動作を行うための制御ＩＣ（３２０）と、
前記スイッチングトランスの前記２次巻線の電圧を直流電圧に整流・平滑して前記負荷へ電力供給するための２次側整流平滑回路（４００）と、
前記直流電圧に対応させて前記制御ＩＣを制御し、前記直流電圧の電圧レベルを一定に保持するための定電圧制御回路（４０１）とを備え、
前記直流電圧に過電圧が発生した場合に前記１次補助巻線の電圧上昇を検出し、前記１次補助巻線から前記第２補助巻線に切り替えて前記制御ＩＣの前記電源端子に電力供給することにより前記過電圧保護動作を行うことを特徴とするスイッチング電源装置。
【請求項２】
前記１次補助巻線及び前記第２補助巻線は中間タップ付き巻線で構成され、前記１次補助巻線の巻数（Ｎ502）と前記第２補助巻線の巻数（Ｎ503）はＮ502＞Ｎ503の関係を有することを特徴とする請求項１記載のスイッチング電源装置。
【発明の詳細な説明】
【技術分野】
【０００１】
本発明は、スイッチング電源装置に係り、特に、過電圧から負荷を保護することができる過電圧保護機能を有するスイッチング電源装置に関する。
【背景技術】
【０００２】
従来から、この種のスイッチング電源装置として、一次側に過電圧が入力されたときの絶縁トランスの飽和と一次側回路素子の耐圧ストレスの増大とを共に抑制することができる電源装置が開示されている（例えば、特許文献１を参照。）。
【０００３】
この電源装置によれば、制御回路の起動後、その制御回路の電源となる補助巻線に過電圧が印加されると、この過電圧を、過電圧保護回路により制御回路が動作を継続せしめる動作電圧以下にクランプさせるので、制御回路の動作を停止させることができ、スイッチング素子とトランスが停止する。
【０００４】
【特許文献１】特開平６−９０５６１号公報
【発明の開示】
【発明が解決しようとする課題】
【０００５】
背景技術に記載した特許文献１の電源装置によれば、出力電圧検出部により出力電圧に過電圧を検出したときには、フォトカプラ発光部を発光させて、出力側過電圧検出信号をフォトカプラ受光部へ電気的に絶縁させた状態で送信するように構成されているため、過電圧の保護用のフォトカプラが必要とされ、当該フォトカプラの経年劣化に伴い過電圧の保護動作に不良が発生する虞があるばかりでなく、このフォトカプラは、一次側及び二次側の間を接続する構成部品であるために回路パターンの設計が煩雑であった。
【０００６】
また、背景技術に記載した特許文献１の電源装置によれば、負荷への電力供給には通常、制限があり、出力電流の値が大きい場合には、出力電圧に発生した過電圧が高い電圧レベルとならず補助巻線に発生する電圧の電圧レベルも低くなるため、過電圧の電圧レベルがツェナーダイオードのツェナー電圧を超えず、制御回路の動作としてスイッチング素子とトランスが停止せず、過電圧から負荷を保護できない虞があった。
【０００７】
本発明は、これらの難点を解消するためになされたもので、巻数に対応させて過電圧の発生を異なる電圧レベルで検出可能な補助巻線を中間タップ付き巻線で構成し、低電圧レベルで電力供給を行う補助巻線からの動作電圧をもとに、トランジスタのスイッチング動作をラッチ制御して停止させることにより、複雑な回路構成を必要とせず、完全かつ確実に過電圧から負荷を保護することができるスイッチング電源装置を提供することを目的としている。
【課題を解決するための手段】
【０００８】
前述の目的を達成するため、本発明の第１の態様であるスイッチング電源装置は、ダイオードブリッジ及びコンデンサにより交流電圧を直流電圧に変換するための１次側整流平滑回路と、１次側の直流電圧の電力を２次側へ伝達するための１次巻線及び２次巻線、変換を制御するための動作電圧を電力供給する１次補助巻線及び当該１次補助巻線と同方向に巻回して形成した第２補助巻線を有するスイッチングトランスと、スイッチングトランスを駆動させるためのトランジスタと、変換を制御するために１次補助巻線又は２次補助巻船から動作電圧が電力供給されトランジスタのスイッチング動作の制御と電源端子の電圧を検出して負荷への過電圧保護動作を行うための制御ＩＣと、スイッチングトランスの２次巻線の電圧を直流電圧に整流・平滑して負荷へ電力供給するための２次側整流平滑回路と、直流電圧に対応させて制御ＩＣを制御し、直流電圧の電圧レベルを一定に保持するための定電圧制御回路とを備えており、直流電圧に過電圧が発生した場合に１次補助巻線の電圧上昇を検出し、１次補助巻線から第２補助巻線に切り替えて制御ＩＣの電源端子に電源供給することにより過電圧保護動作を行うものである。
【０００９】
また、本発明の第２の態様であるスイッチング電源装置は、本発明の第１の態様において、１次補助巻線及び第２補助巻線は中間タップ付き巻線で構成され、１次補助巻線の巻数Ｎ502と第２補助巻線の巻数Ｎ503はＮ502＞Ｎ503の関係を有するものである。
【発明の効果】
【００１０】
本発明のスイッチング電源装置によれば、交流電源からの交流電圧を整流・平滑する１次側整流平滑回路からの直流電圧の電力を、スイッチングトランスを経由して２次側整流平滑回路に伝達し、この２次側整流平滑回路から負荷に電力供給するにあたり、負荷への出力電圧に過電圧が発生した場合、この過電圧は、巻数に対応させて過電圧の発生を異なる電圧レベルで検出可能なスイッチングトランスを構成する１次補助巻線及び２次補助巻線にてそれぞれ受電される。また、過電圧の発生により１次補助巻線の電圧レベルが上昇すると、制御ＩＣの電源端子には、１次補助巻線の電圧レベルよりも低い電圧レベルで過電圧を検出可能な第２補助巻線からの動作電圧が電力供給され、トランジスタのスイッチング動作をラッチ制御して停止させることにより、複雑な回路構成を必要とせず、完全かつ確実に過電圧から負荷を保護することができる。
【発明を実施するための最良の形態】
【００１１】
以下、本発明のスイッチング電源装置を適用した最良の実施の形態例について、図面を参照して説明する。
【００１２】
図１は、本発明の実施例によるスイッチング電源装置の具体的な構成を示す回路図である。このスイッチング電源装置には、家電機器等の負荷１と、交流電源（商用電源）２と、交流電源２からの交流電圧Ｖinが印加され、印加された交流電圧Ｖinを直流電圧に変換するための電源入力制御部３と、負荷１を動作させる出力電圧Ｖoutを生成するための電源出力制御部４と、１次側である電源入力制御部３及び２次側である電源出力制御部４の間を絶縁し、１次側の直流電圧の電力を２次側へ伝達するためのスイッチングトランス５と、負荷１が接続される２つの端子（以下、それぞれ出力端子、ＧＮＤ端子という。）Ｐ1、Ｐ2とが設けられている。
【００１３】
スイッチングトランス５には、１次側である電源入力制御部３からの直流電圧を２次側である電源出力制御部４に伝達するための１次巻線５００及び２次巻線５０１と、１次巻線５００を経由して２次巻線５０１に誘起された直流電圧が受電され、電源入力制御部３にて行われる交流電圧Ｖinから直流電圧への変換を制御するための動作電圧を電力供給する１次補助巻線５０２と、１次補助巻線５０２と同方向に巻回りして形成された２次補助巻線５０３とが備えられている。ここで、１次補助巻線５０２及び２次補助巻線５０３は中間タップ付き巻線で構成されており、１次補助巻線５０２の巻数を「Ｎ502」、２次補助巻線の巻数を「Ｎ503」とすると、例えば、「Ｎ502＝２０」、「Ｎ503＝２又は３」のように「Ｎ502＞Ｎ503」の関係を有しているものとする。また、２次巻線５０１の巻数を「Ｎ501」とすると、例えば、「Ｎ501＝３０」のように「Ｎ501＞Ｎ502」の関係を有しているものとする。
【００１４】
また、電源入力制御部３には、交流電源２からの交流電圧Ｖinを整流・平滑して直流電圧に変換するための１次側整流平滑回路３００と、スイッチングトランス５を構成する１次補助巻線５０２又は２次補助巻線５０３からの電力供給に基づいて当該スイッチングトランスを駆動させるための（ＮＰＮ型の）トランジスタ３０１と、トランジスタ３０１のスイッチング動作、すなわち、オン状態又はオフ状態の切り替えを制御するためのスイッチング制御回路３０２と、スイッチング制御回路３０２の動作電圧として、スイッチングトランス５を構成する１次補助巻線５０２の出力電圧又は２次補助巻線５０３の出力電圧を切り替えるための供給電圧切替回路３０３とが備えられている。
【００１５】
この電源入力制御部３において、１次側整流平滑回路３００は、ダイオードブリッジＤＢ、コンデンサＣ1を有している。また、スイッチング制御回路３０２は、コンデンサＣ2、ダイオードＤ1、フォトカプラＰＣを構成する（ＮＰＮ型の）トランジスタ（以下、受光トランジスタという。）Ｑ1、制御ＩＣ３２０を有している。さらに、供給電圧切替回路３０３は、ダイオードＤ2、抵抗Ｒ1、Ｒ2、Ｒ3、ツェナーダイオードＺＤ、（ＮＰＮ型の）トランジスタＱ2、電界効果トランジスタＦＥＴを有している。
【００１６】
電源入力制御部３の具体的な接続の態様として、１次側整流平滑回路３００を構成するダイオードブリッジＤＢの整流側の一方及び他方間には、交流電源２が並列接続されている。また、ダイオードブリッジＤＢの（＋）端子及び（−）端子の両端子間には、コンデンサＣ1が並列接続されている。また、ダイオードブリッジＤＢの（＋）端子には、スイッチングトランス５を構成する１次巻線５００（の両端）を経由してトランジスタ３０１のコレクタが接続されており、このトランジスタ３０１のエミッタには、基準電位点が接続されている。また、トランジスタ３０１のベースには、スイッチング制御回路３０２を構成する制御ＩＣ３２０の第１の制御端子Ｐ320aが接続されている。
【００１７】
スイッチング制御回路３０２を構成する制御ＩＣ３２０の第２の制御端子Ｐ320bには、フォトカプラＰＣを構成する受光トランジスタＱ1のコレクタが接続されており、この受光トランジスタＱ1のエミッタには、基準電位点が接続されている。また、制御ＩＣ３２０の電源端子Ｐ320cには、ダイオードＤ1のカソード及びアノード、スイッチングトランス５を構成する１次補助巻線５０２（の両端）を経由して基準電位点が接続されている。また、制御ＩＣ３２０の電源端子Ｐ320c及び基準電位点間には、コンデンサＣ2が並列接続されている。
【００１８】
供給電圧切替回路３０３を構成する電界効果トランジスタＦＥＴのソースには、ダイオードＤ2のカソード及びアノード、スイッチングトランス５を構成する２次補助巻線５０３（の両端）及び１次補助巻線５０２の（の両端）を経由して基準電位点が接続されており、この電界効果トランジスタＦＥＴのゲート及びソース間には、抵抗Ｒ1が並列接続されている。また、電界効果トランジスタＦＥＴのゲートには、トランジスタＱ2のコレクタ及びエミッタを経由して基準電位点が接続されており、このトランジスタＱ2のベース及びエミッタ間には、抵抗Ｒ2が並列接続され、ベースには、抵抗Ｒ3を経由してツェナーダイオードＺＤのアノードが接続されている。また、電界効果トランジスタＦＥＴのドレインには、スイッチング制御回路３０２を構成するコンデンサＣ2を経由して基準電位点が接続されている。さらに、ツェナーダイオードＺＤのカソードは、スイッチング制御回路３０２を構成するダイオードＤ1のカソード及び制御ＩＣ３２０の電源端子Ｐ320c間に接続されている。
【００１９】
さらに、電源出力制御部４には、スイッチングトランス５を構成する１次巻線５００から誘起された後、２次巻線５０１にて受電される直流電圧を整流・平滑して出力電圧Ｖoutを生成し、負荷１に電力供給するための２次側整流平滑回路４００と、スイッチング制御回路３０２を構成する制御ＩＣ３２０を制御し、負荷１への出力電圧Ｖoutを一定の電圧レベルで保持するための定電圧制御回路４０１とが備えられている。
【００２０】
この電源出力制御部４において、２次側整流平滑回路４００は、ダイオードＤ3、コンデンサＣ3を有している。また、定電圧制御回路４０１は、抵抗Ｒ4、Ｒ5、Ｒ6、Ｒ7、フォトカプラＰＣを構成するダイオード（以下、発光ダイオードという。）Ｄ4、シャントレギュレータＳＲを有している。
【００２１】
電源出力制御部４の具体的な接続の態様として、２次側整流平滑回路４００を構成するダイオードＤ3のアノードには、スイッチングトランス５を構成する２次巻線５０１（の両端）を経由して基準電位点が接続されており、このダイオードＤ3のカソードには、出力端子Ｐ1が接続されている。また、ダイオードＤ3のカソード及び出力端子Ｐ1間には、コンデンサＣ3が並列接続されているとともに、定電圧制御回路４０１を構成する抵抗Ｒ6、Ｒ7を経由して基準電位点が接続されている。さらに、２次巻線５０１の他端及びＧＮＤ端子Ｐ2間には、基準電位点が接続されている。
【００２２】
定電圧制御回路４０１において、フォトカプラＰＣを構成する発光ダイオードＤ4のアノードは、抵抗Ｒ4を経由して２次側整流平滑回路４００を構成するダイオードＤ3のカソード及び出力端子Ｐ1間に接続されている。また、発光ダイオードＤ4のカソード及びシャントレギュレータＳＲのカソードの間は、抵抗Ｒ5を経由して２次側整流平滑回路４００を構成するダイオードＤ3のカソード及び出力端子Ｐ1間に接続されている。また、シャントレギュレータＳＲのリファレンスは、直列接続された抵抗Ｒ6、Ｒ7間に接続されており、出力端子Ｐ1の電位を分圧して当該シャントレギュレータのリファレンスに供給している。さらに、シャントレギュレータＳＲのアノードには、基準電位点が接続されている。
【００２３】
このように構成された本発明の実施例によるスイッチング電源装置において、以下、具体的な動作について説明する。
【００２４】
図１に示すスイッチング電源装置において、電源入力制御部３の１次側整流平滑回路３００を構成するダイオードブリッジＤＢの整流側の一方及び他方の両端間に、交流電源２からの交流電圧Ｖinが印加されると、この交流電圧Ｖinは、ダイオードブリッジＤＢを経由して整流された後、コンデンサＣ1を経由して平滑されることにより、直流電圧が生成される。また、前述の直流電圧が生成されると、電源入力制御部３の制御ＩＣ３２０が起動し、制御ＩＣ３２０の第１の制御端子Ｐ320aからトランジスタ３０１にベース電流が電力供給され、このトランジスタ３００がオン状態となり、スイッチングトランス５を構成する１次巻線５００に直流電圧が印加されるため、１次巻線５００から誘起された（＋）電圧が２次巻線５０１、１次補助巻線５０２及び２次補助巻線５０３にそれぞれ発生する。
【００２５】
ここで、スイッチングトランス５において、２次巻線５０１に発生した（＋）電圧は、電源出力制御部４の２次側整流平滑回路４００を構成するダイオードＤ3、コンデンサＣ3の経路で整流・平滑されることになる。
【００２６】
また、スイッチングトランス５を構成する１次補助巻線５０２に発生した（＋）電圧の電圧レベルは、２次巻数５０１の巻数Ｎ501及び当該１次補助巻線の巻数Ｎ502の関係を示す「Ｎ501＞Ｎ502」に対応する当該２次巻線に発生した（＋）電圧の電圧レベルよりも低いレベルであり、電源入力制御部３のスイッチング制御回路３０２を構成するダイオードＤ1、コンデンサＣ2の経路で整流・平滑された後、制御ＩＣ３２０の電源端子Ｐ320cに印加されることになる。このような電源が電力供給されることにより、制御ＩＣ３２０は、一定の周期で第１の制御端子Ｐ320aにパルス状の電圧を発生させ、トランジスタ３０１をオン状態又はオフ状態に切り替えることができる。
【００２７】
なお、電源入力制御部３のスイッチング制御回路３０２を構成するダイオードＤ1、コンデンサＣ2を経由して整流・平滑された（＋）電圧の電圧レベルは、供給電圧切替回路３０３を構成するツェナーダイオードＺＤに予め設定されている閾値のツェナー電圧よりも低いため、トランジスタＱ2及び電界効果トランジスタＦＥＴはそれぞれオフ状態が保持されることにより、スイッチングトランス５を構成する２次補助巻線５０３に発生した（＋）電圧が制御ＩＣ３２０の電源端子Ｐ320cに電力供給されることはない。
【００２８】
さらに、電源入力制御部３のトランジスタ３０１がオフ状態になると、スイッチングトランス５を構成する１次巻線５００から誘起された（−）電圧が２次巻線５０１、１次補助巻線５０２及び２次補助巻線５０３にそれぞれ発生し、電源出力制御部４の２次側整流平滑回路４００を構成するダイオードＤ3には逆電圧が加わるためにダイオードＤ3は導通せず、コンデンサＣ3、ダイオードＤ3の経路で整流・平滑されることになる。
【００２９】
ここで、スイッチングトランス５を構成する１次補助巻線５０２に（−）電圧が発生すると、電源入力制御部３のスイッチング制御回路３０２を構成するダイオードＤ1には逆電圧が加わるためダイオードＤ1は導通せず、コンデンサＣ2に予め蓄えられた電荷により制御ＩＣ３２０の動作電圧が電源端子Ｐ320cに電力供給されることになる。このような電源が電力供給されることにより、制御ＩＣ３２０は、一定の周期で第１の制御端子Ｐ320aにパルス状の電圧を発生させ、トランジスタ３０１を再度オン状態にさせることより、スイッチング動作を繰り返すことができる。
【００３０】
なお、電源入力制御部３のスイッチング制御回路３０２を構成するコンデンサＣ2に予め蓄えられた電荷の電圧レベルは、供給電圧切替回路３０３を構成するツェナーダイオードＺＤに予め設定されている閾値のツェナー電圧よりも低いため、トランジスタＱ2及び電界効果トランジスタＦＥＴはそれぞれオフ状態が保持されることにより、スイッチングトランス５を構成する２次補助巻線５０３に発生した（−）電圧が制御ＩＣ３２０の電源端子Ｐ320cに電力供給されることはない。
【００３１】
次に、前述のように整流・平滑される直流電圧であり出力端子Ｐ1（及びＧＮＤ端子Ｐ2）から負荷１に電力供給される出力電圧Ｖoutの電圧レベルは、電源出力制御部４の定電圧制御回路４０１を構成する抵抗Ｒ6、Ｒ7により設定される。ここで、出力電圧Ｖoutが上昇した場合には、シャントレギュレータＳＲが電流を引き込み、フォトカプラＰＣを構成する発光ダイオードＤ4に電流を流すことにより、（電源入力制御部３の）スイッチング制御回路３０２のフォトカプラＰＣを構成する受光トランジスタＱ1をオン状態にすることで制御ＩＣ３２０の第２の制御端子Ｐ320bの端子電圧が低下し、第１の制御端子Ｐ320aに発生するパルス状の電圧のオン幅が小さくなり、出力電圧Ｖoutの電圧レベルを低下させて定電圧制御を行うことができる。
【００３２】
一方、出力電圧Ｖoutが低下した場合には、電源出力制御部４の定電圧制御回路４０１を構成するシャントレギュレータＳＲが電流を引き込まず、フォトカプラＰＣを構成する発光ダイオードＤ4に電流を流さないことにより、（電源入力制御部３の）スイッチング制御回路３０２のフォトカプラＰＣを構成する受光トランジスタＱ1をオフ状態にすることで、電源入力制御部３のスイッチング制御回路３０２を構成する制御ＩＣ３２０の第２の制御端子Ｐ320bの端子電圧が上昇し、第１の制御端子Ｐ320aに発生するパルス状の電圧のオン幅が大きくなり、出力電圧Ｖoutの電圧レベルを上昇させて定電圧制御を行うことができる。
【００３３】
次に、出力端子Ｐ1及びＧＮＤ端子Ｐ2にそれぞれ接続される負荷１にて故障、破損等が発生し、出力電圧Ｖoutが上昇して過電圧になった場合、この過電圧は、スイッチングトランス５を構成する２次巻線５０１から誘起された後、１次補助巻線５０２及び２次補助巻線５０３にそれぞれ発生する。
【００３４】
また、スイッチングトランス５を構成する１次補助巻線５０２に発生した過電圧の電圧レベルは、２次巻数５０１の巻数Ｎ501及び当該１次補助巻線の巻数Ｎ502の関係を示す「Ｎ501＞Ｎ502」に対応する当該２次巻線に発生した過電圧の電圧レベルよりも低いレベルであり、電源入力制御部３のスイッチング制御回路３０２を構成するダイオードＤ1、コンデンサＣ2の経路で整流・平滑される。
【００３５】
なお、電源入力制御部３のスイッチング制御回路３０２を構成するダイオードＤ1、コンデンサＣ2を経由して整流・平滑された過電圧の電圧レベルは、供給電圧切替回路３０３を構成するツェナーダイオードＺＤに予め設定されている閾値のツェナー電圧よりも高くなることから、ツェナーダイオードＺＤが降伏してオフ状態からオン状態に切り替えられ、抵抗Ｒ2、Ｒ3にそれぞれツェナー電流が流れ始めることにより、トランジスタＱ2のベース及びエミッタ間が導通して当該トランジスタがオン状態となり、ゆえに、電界効果トランジスタＦＥＴもオフ状態からオン状態に切り替わる。
【００３６】
さらに、電源入力制御部３のスイッチング制御回路３０２を構成する電界効果トランジスタＦＥＴがオン状態になると、１次補助巻数５０２の巻数Ｎ502及び当該２次補助巻線の巻数Ｎ503の関係を示す「Ｎ502＞Ｎ503」に対応する当該１次補助巻線に発生した過電圧の電圧レベルよりも低い電圧レベルの動作電圧がダイオードＤ2を経由して平滑された後、オン状態の電界効果トランジスタＦＥＴを経由して制御ＩＣ３２０の電源端子Ｐ320cに電力供給されるため、制御ＩＣ３２０の電源端子Ｐ320cの端子電圧が上昇する。これを検出した制御ＩＣ３２０は、トランジスタ３０１のスイッチング動作をラッチ制御して停止させることができる。この制御により、スイッチングトランス５を構成する２次巻線５０１に発生する過電圧は、所定の電圧レベル以上で負荷１に電力供給されることはないため、安全かつ確実に過電圧から負荷１を保護することができる。
【００３７】
前述までの説明から明らかなように、本発明のスイッチング電源装置によれば、交流電源１からの交流電圧Ｖinを整流・平滑する１次側整流平滑回路３００からの直流電圧の電力を、スイッチングトランス５を経由して２次側整流平滑回路４００に伝達し、この２次側整流平滑回路４００から負荷１に電力供給するにあたり、負荷１への出力電圧に過電圧が発生した場合、この過電圧は、巻数Ｎ502、Ｎ503に対応させて過電圧の発生を異なる電圧レベルで検出可能なスイッチングトランス５を構成する１次補助巻線５０２及び２次補助巻線５０３にそれぞれ発生する。また、過電圧の発生により１次補助巻線５０２の電圧レベルが上昇すると、制御ＩＣ３２０の電源端子Ｐ320cには、１次補助巻線５０２の電圧レベルよりも低い電圧レベルで過電圧を検出可能な第２補助巻線５０３からの動作電圧が電力供給され、トランジスタ３０１のスイッチング動作をラッチ制御して停止させることにより、複雑な回路構成を必要とせず、過電圧から負荷１を保護することができる。
【００３８】
なお、本発明のスイッチング電源装置においては、特定の実施の形態をもって説明してきたが、この形態に限定されるものでなく、本発明の効果を奏する限り、これまで知られた如何なる構成のスイッチング電源装置であっても採用できるということはいうまでもないことである。
【図面の簡単な説明】
【００３９】
【図１】本発明の実施例によるスイッチング電源装置の具体的な構成を示す回路図。
【符号の説明】
【００４０】
１……負荷
３００……１次側整流平滑回路
ＤＢ……ダイオードブリッジ
Ｃ1……コンデンサ
３０１……トランジスタ
３２０……制御ＩＣ
Ｐ320c……電源端子
４００……２次側整流平滑回路
４０１……定電圧制御回路
５……スイッチングトランス
５００……１次巻線
５０１……２次巻線
５０２……１次補助巻線
Ｎ502……１次補助巻線の巻数
５０３……２次補助巻線
Ｎ503……２次補助巻線の巻数
【図１】
2009213261.tif 000003